(57)【特許請求の範囲】
【請求項１】
第１映像データに第２映像データを組み込んだ合成映像データを再生可能な映像再生装置であって、
前記映像再生装置が前記合成映像データを取り込む前に、パスワードを入力できるパスワード入力手段と、
入力された前記パスワードが保存されるパスワード保存領域を有する記憶媒体と、
前記パスワード保存領域から前記パスワードを取り出して、前記パスワードが未入力および不正パスワードの場合に不正と判断し、前記パスワードが正当パスワードの場合に、正当であると判断し、前記判断結果に応じて、前記第１映像データの読み出し位置又は前記第２映像データの読み出し位置を、前記合成映像データの読み出し位置情報として出力するパスワード照合手段と、
前記パスワード照合手段から受け取った前記読み出し位置情報に基づいて、前記第２映像データまたは前記第１映像データを読み出す映像読出手段と、
読み出された前記第２映像データまたは前記第１映像データを表示する映像表示手段と
を備え、
前記パスワード照合手段は、前記判断結果が連続して所定の回数以上、不正であるときに、前記パスワード保存領域に、前記入力手段に入力される前記パスワードとして不正パスワードとなる特定文字列を埋め込む、映像再生装置。
【請求項２】
前記パスワード照合手段は、前記判断結果が連続して所定の回数以上、不正であるときに、前記第２映像データを初期化する請求項１記載の映像再生装置。
【請求項３】
前記第１映像データは、ダミーデータとしての偽映像データであり、
前記第２映像データは、前記偽映像データに比べて秘匿性の高い本映像データである請求項１または２に記載の映像再生装置。
【請求項４】
前記第１映像データを保存する第１映像保存領域と、
前記第１映像保存領域から前記第１映像データを取り出す第１映像管理手段と、
前記第２映像データを暗号化する第２映像暗号化手段と、
前記第１映像管理手段によって取り出された前記第１映像データに、データフォーマット上の隙間を設け、前記隙間に、暗号化された前記第２映像データを組み込み、前記合成映像データを生成する組込手段と
を備える映像変換装置と、
請求項１〜３のいずれかに記載の映像再生装置と
を備える、映像処理装置。
【請求項５】
前記組込手段は、１単位の前記第１映像データに対して１単位の前記第２映像データを組み込む請求項４記載の映像処理装置。
【請求項６】
前記組込手段は、１単位の前記第１映像データに対して複数単位の前記第２映像データを組み込む請求項４記載の映像処理装置。
【請求項７】
第１映像データに第２映像データを組み込んだ合成映像データを再生可能な映像再生方法であって、
前記合成映像データを取り込む前に、パスワードを入力するパスワード入力ステップと、
記憶媒体のパスワード保存領域から前記パスワードを取り出して、前記パスワードが未入力および不正パスワードの場合に不正と判断し、前記パスワードが正当パスワードの場合に、正当であると判断し、前記判断結果に応じて、前記合成映像データの読み出し位置情報を出力するパスワード照合ステップと、
受け取った前記読み出し位置情報に基づいて、前記第２映像データまたは前記第１映像データを読み出す映像読出ステップと、
読み出された前記第２映像データまたは前記第１映像データを表示する映像表示ステップと
を備え、
前記パスワード照合ステップは、前記判断結果が連続して所定の回数以上、不正であるときに、前記パスワード保存領域に特定文字列を埋め込む、映像再生方法。
【請求項８】
前記パスワード照合ステップは、前記判断結果が連続して所定の回数以上、不正であるときに、前記第２映像データを初期化する請求項７記載の映像再生方法。
【請求項９】
前記第１映像データは、ダミーデータとしての偽映像データであり、
前記第２映像データは、前記偽映像データに比べて秘匿性の高い本映像データである請求項７または８に記載の映像再生方法。
【請求項１０】
前記第１映像データが保存された第１映像保存領域から前記第１映像データを取り出す取出ステップと、
前記第２映像データを暗号化する暗号化ステップと、
取り出された前記第１映像データに、データフォーマット上の隙間を設け、前記隙間に暗号化された前記第２映像データを組み込み前記合成映像データを生成する組込ステップと
を備える映像変換方法と、
請求項７〜９のいずれかに記載の映像再生方法と
を備える、映像処理方法。
【請求項１１】
前記組込ステップは、１単位の前記第１映像データに対して１単位の前記第２映像データを組み込む請求項１０記載の映像処理方法。
【請求項１２】
前記組込ステップは、１単位の前記第１映像データに対して複数単位の前記第２映像データを組み込む請求項１０記載の映像処理方法。
【請求項１３】
第１映像データに第２映像データを組み込んだ合成映像データの再生処理をコンピュータに実行させることが可能な映像再生プログラムであって、
前記合成映像データを取り込む前に、パスワードを入力できるパスワード入力処理と、
記憶媒体のパスワード保存領域から前記パスワードを取り出して、前記パスワードが未入力および不正パスワードの場合に不正と判断し、前記パスワードが正当パスワードの場合に、正当であると判断し、前記判断結果に応じて、前記合成映像データの読み出し位置情報を出力するパスワード照合処理と、
受け取った前記読み出し位置情報に基づいて、前記第２映像データまたは前記第１映像データを読み出す映像読出処理と、
読み出された前記第２映像データまたは前記第１映像データを表示する映像表示処理と
をコンピュータに実行させ、
前記パスワード照合処理は、前記判断結果が連続して所定の回数以上、不正であるときに、前記パスワード保存領域に特定文字列を埋め込む、映像再生プログラム。
【請求項１４】
前記パスワード照合処理は、前記判断結果が連続して所定の回数以上、不正であるときに、前記第２映像データを初期化する請求項１３記載の映像再生プログラム。
【請求項１５】
前記第１映像データは、ダミーデータとしての偽映像データであり、
前記第２映像データは、前記偽映像データに比べて秘匿性の高い本映像データである請求項１３または１４に記載の映像再生プログラム。
【請求項１６】
前記第１映像データが保存された第１映像保存領域から前記第１映像データを取り出す取出処理と、
前記第２映像データを暗号化する暗号化処理と、
取り出された前記第１映像データに、データフォーマット上の隙間を設け、前記隙間に前記第２映像データを組み込み前記合成映像データを生成する組込処理と
をコンピュータに実行させる映像変換プログラムと、
請求項１３〜１５のいずれかに記載の映像再生プログラムと
を備える、映像処理プログラム。
【請求項１７】
前記組込処理は、１単位の前記第１映像データに対して１単位の前記第２映像データを組み込む請求項１６記載の映像処理プログラム。
【請求項１８】
前記組込処理は、１単位の前記第１映像データに対して複数単位の前記第２映像データを組み込む請求項１６記載の映像処理プログラム。
【発明の詳細な説明】
【技術分野】
【０００１】
本発明は、映像再生装置、映像処理装置および映像再生方法、映像処理方法ならびに、映像再生プログラム、映像処理プログラムに関し、特に、映像の秘匿性を向上する技術に関する。
【背景技術】
【０００２】
汎用フォーマットにて録画された映像データは、不特定多数の人間が視聴できる利便性を持つ反面、撮影者もしくは被撮影者の個人情報が含まれる映像を第三者によって自由に視聴されてしまう危険性を併せ持っている。そのため、映像データにパスワードを施すことによって、第三者が容易に映像データを視聴できないようにするなどの秘匿手法が用いられている。
【０００３】
このような技術が、例えば特許文献１に開示されている。特許文献１記載の技術では、暗証番号によって、暗号化モード、復号化モードを選択し、当該暗証番号から、暗号化処理、復号化処理を施すための画素の転位先アドレスを算出している。
【先行技術文献】
【特許文献】
【０００４】
【特許文献１】特開２００４−４０８１９号公報
【発明の概要】
【発明が解決しようとする課題】
【０００５】
しかしながら、パスワードを解析するソフトウェアが多数存在する現状を鑑みると、パスワードが施されていることを容易に悟らせてしまう上記の秘匿手法は、根本的な解決案を示しているとは言えないという問題がある。
【０００６】
そこで、本発明は、映像の秘匿性を向上する技術を提供することを目的とする。
【課題を解決するための手段】
【０００７】
本発明に係る請求項１記載の映像再生装置は、第１映像データに第２映像データを組み込んだ合成映像データを再生可能な映像再生装置であって、前記映像再生装置が前記合成映像データを取り込む前に、パスワードを入力できるパスワード入力手段と、入力された前記パスワードが保存されるパスワード保存領域を有する記憶媒体と、前記パスワード保存領域から前記パスワードを取り出して、前記パスワードが未入力および不正パスワードの場合に不正と判断し、前記パスワードが正当パスワードの場合に、正当であると判断し、前記判断結果に応じて、前記第１映像データの読み出し位置又は前記第２映像データの読み出し位置を、前記合成映像データの読み出し位置情報として出力するパスワード照合手段と、前記パスワード照合手段から受け取った前記読み出し位置情報に基づいて、前記第２映像データまたは前記第１映像データを読み出す映像読出手段と、読み出された前記第２映像データまたは前記第１映像データを表示する映像表示手段とを備え、前記パスワード照合手段は、前記判断結果が連続して所定の回数以上、不正であるときに、前記パスワード保存領域に、前記入力手段に入力される前記パスワードとして不正パスワードとなる特定文字列を埋め込む。
【０００８】
本発明に係る請求項７記載の映像再生方法は、第１映像データに第２映像データを組み込んだ合成映像データを再生可能な映像再生方法であって、前記合成映像データを取り込む前に、パスワードを入力するパスワード入力ステップと、記憶媒体のパスワード保存領域から前記パスワードを取り出して、前記パスワードが未入力および不正パスワードの場合に不正と判断し、前記パスワードが正当パスワードの場合に、正当であると判断し、前記判断結果に応じて、前記合成映像データの読み出し位置情報を出力するパスワード照合ステップと、受け取った前記読み出し位置情報に基づいて、前記第２映像データまたは前記第１映像データを読み出す映像読出ステップと、読み出された前記第２映像データまたは前記第１映像データを表示する映像表示ステップとを備え、前記パスワード照合ステップは、前記判断結果が連続して所定の回数以上、不正であるときに、前記パスワード保存領域に特定文字列を埋め込む組込ステップとを備える。
【０００９】
本発明に係る請求項１３記載の映像再生プログラムは、第１映像データに第２映像データを組み込んだ合成映像データの再生処理をコンピュータに実行させることが可能な映像再生プログラムであって、前記合成映像データを取り込む前に、パスワードを入力できるパスワード入力処理と、記憶媒体のパスワード保存領域から前記パスワードを取り出して、前記パスワードが未入力および不正パスワードの場合に不正と判断し、前記パスワードが正当パスワードの場合に、正当であると判断し、前記判断結果に応じて、前記合成映像データの読み出し位置情報を出力するパスワード照合処理と、受け取った前記読み出し位置情報に基づいて、前記第２映像データまたは前記第１映像データを読み出す映像読出処理と、読み出された前記第２映像データまたは前記第１映像データを表示する映像表示処理とをコンピュータに実行させ、前記パスワード照合処理は、前記判断結果が連続して所定の回数以上、不正であるときに、前記パスワード保存領域に特定文字列を埋め込む。
【発明の効果】
【００１０】
本発明に係る請求項１記載の映像再生装置は、第１映像データに第２映像データを組み込んだ合成映像データを再生可能な映像再生装置であって、前記映像再生装置が前記合成映像データを取り込む前に、パスワードを入力できるパスワード入力手段と、入力された前記パスワードが保存されるパスワード保存領域と、前記パスワード保存領域から前記パスワードを取り出して、前記パスワードが未入力および不正パスワードの場合に不正と判断し、前記パスワードが正当パスワードの場合に、正当であると判断し、前記判断結果に応じて、前記第１映像データの読み出し位置又は前記第２映像データの読み出し位置を、前記合成映像データの読み出し位置情報として出力するパスワード照合手段と、前記パスワード照合手段から受け取った前記読み出し位置情報に基づいて、前記第２映像データまたは前記第１映像データを読み出す映像読出手段と、読み出された前記第２映像データまたは前記第１映像データを表示する映像表示手段とを備え、前記パスワード照合手段は、前記判断結果が連続して所定の回数以上、不正であるときに、前記パスワード保存領域に、前記入力部に入力される前記パスワードとして不正パスワードとなる特定文字列を埋め込むので、例えば、汎用再生ツールで前記合成映像データを再生すると、前記第１映像データが再生されるため、前記第２映像データの秘匿性を向上することができる。
【００１１】
本発明に係る請求項７記載の映像再生方法は、第１映像データに第２映像データを組み込んだ合成映像データを再生可能な映像再生方法であって、前記合成映像データを取り込む前に、パスワードを入力するパスワード入力ステップと、パスワード保存領域から前記パスワードを取り出して、前記パスワードが未入力および不正パスワードの場合に不正と判断し、前記パスワードが正当パスワードの場合に、正当であると判断し、前記判断結果に応じて、前記合成映像データの読み出し位置情報を出力するパスワード照合ステップと、受け取った前記読み出し位置情報に基づいて、前記第２映像または前記第１映像を読み出す映像読出ステップと、読み出された前記第２映像または前記第１映像を表示する映像表示ステップとを備え、前記パスワード照合ステップは、前記判断結果が連続して所定の回数以上、不正であるときに、前記パスワード保存領域に特定文字列を埋め込む組込ステップとを備えるので、例えば、汎用再生ツールで前記合成映像データを再生すると、前記第１映像データが再生されるため、前記第２映像データの秘匿性を向上することができる。
【００１２】
本発明に係る請求項１３記載の映像再生プログラムは、第１映像データに第２映像データを組み込んだ合成映像データの再生処理をコンピュータに実行させることが可能な映像再生プログラムであって、前記合成映像データを取り込む前に、パスワードを入力できるパスワード入力処理と、パスワード保存領域から前記パスワードを取り出して、前記パスワードが未入力および不正パスワードの場合に不正と判断し、前記パスワードが正当パスワードの場合に、正当であると判断し、前記判断結果に応じて、前記合成映像データの読み出し位置情報を出力するパスワード照合処理と、受け取った前記読み出し位置情報に基づいて、前記第２映像または前記第１映像を読み出す映像読出処理と、読み出された前記第２映像または前記第１映像を表示する映像表示処理とをコンピュータに実行させ、前記パスワード照合処理は、前記判断結果が連続して所定の回数以上、不正であるときに、前記パスワード保存領域に特定文字列を埋め込むので、例えば、汎用再生ツールで前記合成映像データを再生すると、前記第１映像データが再生されるため、前記第２映像データの秘匿性を向上することができる。
【図面の簡単な説明】
【００１３】
【図１】実施の形態１および２に係る遠隔監視システムの概略構成図である。
【図２】実施の形態１に係る合成映像データフォーマットを示す図である。
【図３】実施の形態１に係る映像再生部の動作フローチャートである。
【図４】実施の形態２に係る合成映像データフォーマットを示す図である。
【図５】実施の形態３および４に係る遠隔監視システムの概略構成図である。
【図６】実施の形態３に係る映像再生部の動作フローチャートである。
【図７】実施の形態４に係る映像再生部の動作フローチャートである。
【発明を実施するための形態】
【００１４】
（実施の形態１）
本発明に係る実施の形態１の一例として、映像変換装置および映像再生装置を備える遠隔監視システムの概略構成図を図１に示す。本遠隔監視システムは、例えば、ホームセキュリティーで用いられており、不審者の侵入対策等として室内を監視している。すなわち、監視カメラに撮影された映像データは、個人情報が含まれており、高い秘匿性を必要とする。なお、映像データには必ずしも個人情報が含まれている必要はなく、高い秘匿性を有する映像データとして例示しているだけである。
【００１５】
図１に示すように、本遠隔監視システムは、監視対象を撮影する監視カメラ４、監視カメラ４にて撮影された映像データを変換、再生する映像処理装置３（映像処理装置に相当）、映像データを表示する監視用モニタ５から構成されている。映像処理装置３は、監視カメラ４および監視用モニタ５と、それぞれ所定のケーブルで接続されており、監視カメラ４で撮影した映像を、監視用モニタ５に表示することができる。以下、具体的に映像処理装置３の構成を説明する。
【００１６】
映像処理装置３は、映像変換部１（映像変換装置に相当）と映像再生部２（映像再生装置に相当）と、映像データを記録する映像記録メディア１７とで構成されている。映像変換部１は、偽映像データ（第１映像データ、偽映像データに相当）に本映像データ（第２映像データ、本映像データに相当）を組み込んだ２層構造の合成映像データ（合成映像データに相当）を生成し、映像再生部２は、当該合成映像データから、本映像データまたは偽映像データを読み出して再生する。ここで、本映像データとは、例えば、監視カメラ４で撮影され、個人情報を含んだ高い秘匿性を必要とする映像データのことであり、偽映像データとは、例えば、本映像データとは別に撮影され、個人情報を含まず、秘匿性の低いダミーデータのことである。以下、さらに映像変換部１および映像再生部２について詳述する。
【００１７】
映像変換部１は、監視カメラ４で撮影された映像データを取得する本映像入力手段１１と、受信した映像データを圧縮する本映像圧縮部１２と、圧縮された映像データに暗号化処理を施す本映像暗号化部１３（第２映像暗号化手段に相当）と、複数の偽映像データが偽映像候補１、偽映像候補２、・・として保存されている偽映像保存領域１４（第１映像保存領域に相当）と、偽映像保存領域１４から最も相応しい偽映像データを選択して取り出す偽映像管理部１５（第１映像管理手段に相当）と、選択された偽映像データに本映像データを組み込み合成映像データを生成する本映像組込部１６（組込手段に相当）とで構成されている。
【００１８】
映像再生部２は、外部からパスワードを入力するパスワード入力部２５（パスワード入力手段に相当）と、パスワードが保存されるパスワード保存領域２１（パスワード保存領域に相当）と、パスワード保存領域２１からパスワードを取り出して照合するパスワード照合部２２（パスワード照合手段に相当）と、パスワード照合部２２の結果に応じて、本映像データまたは偽映像データを読み出して復号化および伸張処理を施す映像データ読出伸張部２３（映像読出手段に相当）と、監視用モニタ５に映像データを表示する映像データ表示部２４（映像表示手段に相当）とで構成されている。
【００１９】
次に、本実施の形態１に係る映像変換装置および映像再生装置を用いた遠隔監視システムの動作を、大きく映像変換部１の動作と、映像再生部２の動作に大別して説明する。
【００２０】
まず、映像変換部１の動作について述べる。監視カメラ４で室内を撮影した本映像データ（個人情報を含む秘匿性の高いデータ）を、本映像入力手段１１にて取得する。その後、本映像圧縮部１２は、当該本映像データを、例えば、ＭＰＥＧ２フォーマット等で圧縮し、続いて、本映像暗号化部１３は、圧縮された本映像データを、例えば、秘密暗号化方式で暗号化処理を施す。
【００２１】
一方、偽映像保存領域１４には、複数の偽映像データが偽映像候補１、偽映像候補２・・・として保存されている。例えば、偽映像候補１の映像データは、昼間に撮影した個人情報を含まない室内の１部であり、偽映像候補２の映像データは、夜間に撮影した個人情報を含まない室内の一部である。
【００２２】
次に、偽映像管理部１５は、偽映像保存領域１４から最も相応しい偽映像データを選択して取り出す。ここで、最も相応しいとは、例えば、昼間に撮影された本映像データを埋め込む場合は、偽映像候補１（昼間に撮影した個人情報を含まない室内の一部）を選択し、夜間に撮影された本映像データを埋め込む場合は、偽映像候補２（夜間に撮影した個人情報を含まない室内の一部）を選択することを指す。
【００２３】
なお、偽映像管理部１５は、監視カメラ４にて撮影した映像データを偽映像データとして、偽映像保存領域１４に新規または上書き登録でき、また、映像記録メディア１７に記録された映像データを取り出して、偽映像データとして、偽映像保存領域１４に新規または上書き登録できる構成であっても良い。
【００２４】
次に、本映像組込部１６は、最も相応しい偽映像データに対して、データヘッダの位置等を広げてデータフォーマット上の隙間を作り、当該隙間に圧縮、暗号化された本映像データを組み込むことで、図２に示す合成映像データを生成する。１単位の合成映像データフォーマットは、データヘッダ識別子、次のデータヘッダの位置情報、偽映像データの位置情報、本映像データの位置情報等から成るデータヘッダと、偽映像データサイズ情報、偽映像データ本体から成る偽映像データと、本映像データとがこの順で配置されて構成される。すなわち、一単位の偽映像データに対して、一単位の本映像データを組み込む。
【００２５】
また、本映像データの位置情報は、本映像暗号化部１３で暗号化されており、パスワードを使わなければ、本映像データの位置情報を読みとることができない。さらに、本映像データと偽映像データ本体の間には空白部分が設けられており、本映像データの位置情報を読みとることができなければ、本映像データの開始位置を把握することができない。なお、１単位とは、動画像を構成する１枚の画像であっても良く、複数枚の画像（ストリーム）であっても良い。
【００２６】
図２に示す合成映像データを、汎用再生ツールで再生した場合、本映像データの位置情報を読みとることができず、偽映像データの位置情報を読みとって、偽映像データを再生する。従って、本映像データの秘匿性を向上できる。また、本映像データは映像再生に全く寄与することがなく、あってもなくてもよいデータとして扱われるため、仮に、本映像データサイズが偽映像データのサイズより大きくとも、偽映像データの再生に不都合（例えば、ノイズ発生等）は生じない。従って、偽映像データの選択自由度を高めることができる。
【００２７】
また、汎用再生ツールで再生された偽映像データは、上述したように、最も相応しい偽映像データを選択しているので、不特定多数の第三者が汎用再生ツールで再生した場合も、当該偽映像データに違和感を感じることがないため、秘匿性を向上することができる。
【００２８】
なお、本映像組込部１６にて生成された合成映像データは、例えば、ハードディスクやＤＶＤ等の映像記録メディア１７に記録することができる。
【００２９】
続いて、映像再生部２の動作を図３に示すフローチャートを参照して説明する。なお、パスワード保存領域２１には、パスワードが入力されて保存されている。パスワードの入力は、映像再生時にパスワード入力を要求されて入力するのではなく、例えば、ユーザが映像再生前に予め映像ファイルとは別のパスワードファイルにパスワードを入力して保存する。すなわち、映像再生時にパスワード入力画面等が表示されることがなく、不特定多数の第三者はパスワードが設定されていることを認識できないため、本映像データの秘匿性を向上することができる。
【００３０】
まず、ステップＳ１にて、合成映像データを映像記録メディア１７から取り込んだパスワード照合部２２は、パスワード保存領域２１に保存されているパスワードを読み出す。なお、合成映像データは本映像組込部１６から取り込む態様でも良い。
【００３１】
ステップＳ２にて、パスワード照合部２２は、取り出したパスワードが正しいか照合する。
【００３２】
例えば、パスワードが正しいときは、ステップＳ３にて、パスワード照合部２２は、映像記録メディア１７に記録された合成映像データを取りだし、当該パスワードを用いて本映像データの位置情報を復号化し、合成映像データとともに、本映像データの位置情報を映像データ読出伸張部２３に送る。なお、合成映像データは本映像組込部１６から入力されても良い。
【００３３】
ステップＳ４にて、映像データ読出伸張部２３は、受け取った本映像データの位置情報に基づいて、合成映像データから、本映像データを取り出し、復号化、伸張処理を施して、映像データ表示部２４に送信する。本映像データを受け取った映像データ表示部２４は、監視用モニタ５に本映像データを表示する。
【００３４】
例えば、ステップＳ２にて照合した結果、不正パスワードもしくはパスワード未入力のときは、ステップＳ５にて、パスワード照合部２２は、合成映像データとともに、偽映像データの位置情報を映像データ読出伸張部２３に送る。
【００３５】
ステップＳ６にて、映像データ読出伸張部２３は、偽映像データの位置情報に基づいて、合成映像データから、偽映像データを取り出し、復号化、伸張処理を施して、映像データ表示部２４に送信する。偽映像データを受け取った映像データ表示部２４は、監視用モニタ５に偽映像データを表示する。
【００３６】
すなわち、例えば、ハードディスクやＤＶＤ等の映像記録メディア１７を盗まれて、不特定多数の第三者が合成映像データを取得、視聴されたとしても、パスワード入力を意図するような動作をせず、不正パスワード入力時またはパスワード未入力時に偽映像データを再生するため、再生された映像が偽映像であると気付かれることがなく、本映像の秘匿性を向上することができる。
【００３７】
なお、パスワード入力部２５は、外部からユーザが入力して、パスワード保存領域２１にパスワードファイルを作成するとして説明したが、これに限らない。例えば、映像再生部２が管理センターとインターネットを介して接続されており、申請手続きを行うと、パスワード入力部２５は、管理センターからインターネットを介してパスワードファイルを受け取り、パスワード保存領域２１に当該パスワードファイルを保存するとしてもよい。
【００３８】
なお、作成されたパスワードファイルは、例えば、映像処理装置３の製造番号をキーに暗号化を施して、パスワード保存領域２１に保存しても良い。この場合、不特定多数の第三者がパスワードファイルおよび合成映像データを取得し、異なる製造番号の映像処理装置３で再生したとしても、本映像データを再生することができない。
【００３９】
（実施の形態２）
本発明に係る実施の形態２の一例として、映像変換装置および映像再生装置を備える遠隔監視システムを用いて説明する。なお、構成は実施の形態１と同一である。ただし、本実施の形態２では、本映像組込部１６は、１単位の偽映像データに対し、複数単位の本映像データを組み込む。
【００４０】
本実施の形態２においては、本映像組込部１６の動作以外は、実施の形態１と同一であるため、本映像組込部１６以外の処理部における動作説明は省略する。
【００４１】
本映像データおよび偽映像データを受け取った本映像組込部１６は、１単位の偽映像データに対して複数単位の本映像データを組み込んで、図４に示す合成映像データを生成する。図４では、一例として、１単位の偽映像データに対して１０単位の本映像データが組み込まれている合成映像データフォーマットを示している。
【００４２】
詳細には、図４に示すように、合成映像データフォーマットは、データヘッダ（Ｐ１）、本映像データ（Ｐ１）、データヘッダ（Ｐ２）、本映像データ（Ｐ２）、・・・、偽映像データ１、偽映像データ２、・・・がこの順に配置されて構成される。データヘッダ（Ｐｎ）は、データヘッダ識別子、次のデータヘッダ（Ｐｎ＋１）の位置、偽映像データｍの位置情報、本映像データ（Ｐｎ）の位置情報とから構成されている。ここで、ｍ＝ｎ／１１＋１（ｍ：小数部分を切り捨てた整数）で表される。すなわち、本映像データＰ１〜Ｐ１０のデータヘッダには偽映像データ１の位置情報が配置され、本映像データＰ１１〜Ｐ２０のデータヘッダには偽映像データ２の位置情報が配置されている。
【００４３】
また、実施の形態１と同様に、本映像データ（Ｐｎ）の位置情報は、本映像暗号化部１３で暗号化されており、パスワードを使わなければ、本映像データ（Ｐｎ）の位置情報を読みとることができない。さらに、本映像データ（Ｐｎ）とデータヘッダ（Ｐｎ）の間には空白部分が設けられており、本映像データ（Ｐｎ）の位置情報を読みとることができなければ、本映像データ（Ｐｎ）の開始位置を把握することができない。
【００４４】
従って、図４に示す合成映像データを、汎用再生ツールで再生した場合、本映像データの位置情報を読みとることができず、それぞれのデータヘッダで偽映像データの位置情報を読み取って偽映像データを再生する。例えば、本映像データ（データヘッダ）Ｐ１〜Ｐ１０に対しては、偽映像データ１が再生され、本映像データ（データヘッダ）Ｐ１１〜Ｐ２０に対しては偽映像データ２が再生される。従って、本実施の形態２においても、本実施の形態１と同様に、汎用再生ツールで再生した場合に本映像の秘匿性を向上することができる。
【００４５】
さらに、本実施の形態２においては、本映像組込部１６が、上述したように、１単位の偽映像データに対して、複数単位の本映像データを組み込んで合成映像データを生成するため、合成映像データのデータサイズを小さくすることができる。
【００４６】
なお、本実施の形態２でも、実施の形態１に述べた映像再生部２の動作により、実施の形態１と同様の効果を得ることができることは言うまでもない。
【００４７】
（実施の形態３）
本発明に係る実施の形態３の一例として、映像変換装置および映像再生装置を備える遠隔監視システムを図５に示す。なお、同一符号は同一または相当部分を指す。すなわち不正パスワード連続入力回数保存領域２６以外は実施の形態１と同一である。ただし、後述するように、パスワード照合部２２は、パスワードの照合を行い、不正パスワード連続入力回数を不正パスワード連続入力回数保存領域２６に保存するとともに、不正パスワードが連続して、例えば５回入力された場合に、本映像データを消去する。
【００４８】
次に、本実施の形態３に係る遠隔監視システムの動作を説明する。実施の形態１または実施の形態２で述べた映像変換部１の動作により合成映像データを生成する。続いて、映像再生部２の動作を図６に示すフローチャートを参照して説明する。
【００４９】
まず、ステップＳ１にて、合成映像データを受け取ったパスワード照合部２２は、パスワード保存領域２１に保存されているパスワードを読み出す。
【００５０】
ステップＳ２にて、パスワード照合部２２は、取り出したパスワードが正しいか照合する。
【００５１】
例えば、パスワードが正しいときは、ステップＳ７にて、不正パスワード連続入力回数保存領域２６を初期化する。
【００５２】
ステップＳ３にて、パスワード照合部２２は、当該パスワードを用いて本映像データの位置情報を復号化し、合成映像データとともに、本映像データの位置情報を映像データ読出伸張部２３に送る。
【００５３】
ステップＳ４にて、映像データ読出伸張部２３は、受け取った本映像データの位置情報に基づいて、合成映像データから、本映像データを取り出し、復号化、伸張処理を施して、映像データ表示部２４に送信する。本映像データを受け取った映像データ表示部２４は、監視用モニタ５に本映像データを表示する。
【００５４】
例えば、ステップＳ２にて照合した結果、不正パスワードまたはパスワード未入力のときは、ステップＳ８にて、パスワード照合部２２は、不正パスワード連続入力回数保存領域２６に保存されている不正パスワード連続入力回数に１を加算して保存する。
【００５５】
ステップＳ９にて、パスワード照合部２２は不正パスワード連続入力回数が、例えば、５回以上かどうか判別する。
【００５６】
不正パスワード連続入力連続回数が５回未満のときは、ステップＳ５にて、パスワード照合部２２は、合成映像データとともに、偽映像データの位置情報を映像データ読出伸張部２３に送る。
【００５７】
ステップＳ６にて、映像データ読出伸張部２３は、偽映像データの位置情報に基づいて、合成映像データから、偽映像データを取り出し、復号化、伸張処理を施して、映像データ表示部２４に送信する。偽映像データを受け取った映像データ表示部２４は、監視用モニタ５に偽映像データを表示する。
【００５８】
不正パスワード連続入力回数が５回以上のときは、ステップＳ１０にて、パスワード照合部２２は、合成映像データに本映像データが存在しているか判断する。
【００５９】
本映像データが存在しているときは、ステップＳ１１にて、パスワード照合部２２は、合成映像データに含まれる本映像データを消去する。１単位の合成映像データに含まれる本映像データを消去するには、例えば、実施の形態１で述べた合成映像データ（図２参照）であれば、偽映像データ本体の終了位置から次のデータヘッダの開始位置までを初期化し、実施の形態２で述べた合成映像データ（図４参照）であれば、データヘッダ終了位置から次のデータヘッダの開始位置までを初期化する。このような処理を１単位毎に順次実行することで、合成映像データに含まれる本映像データが完全に消去される。
【００６０】
その後、同様にステップＳ５およびＳ６を経て、監視用モニタ５に偽映像が表示される。
【００６１】
また、本映像データが存在していないときは、ステップＳ１１を経ずに、ステップＳ５およびＳ６を経て、監視用モニタ５に偽映像が表示される。
【００６２】
以上のように、仮に、不特定多数の第三者がパスワードを解析しようとしても、不正パスワードが例えば連続５回入力されると、本映像データが消去されてしまうため、本映像に含まれる個人情報等を保護することができ、本映像の秘匿性をさらに向上できる。
【００６３】
（実施の形態４）
本発明に係る実施の形態４の一例として、映像変換装置および映像再生装置を備える遠隔監視システムを説明する。構成は実施の形態３と同一である。ただし、後述するように、パスワード照合部２２は、パスワードの照合を行い、不正パスワード連続入力回数を不正パスワード連続入力回数保存領域２６に保存するとともに、不正パスワードが連続して、例えば５回入力された場合に、パスワード保存領域２１に特定文字列を埋め込む。
【００６４】
本実施の形態４についての動作を図７を参照して説明する。なお、映像変換部１の動作および映像再生部２におけるステップＳ１〜９の動作は実施の形態３と同一であるため省略する。
【００６５】
ステップＳ９の結果、不正パスワード連続入力回数が５回以上のときは、ステップＳ１２で、パスワード照合部２２は、パスワード保存領域２１に特定文字列を埋め込む。
【００６６】
その後、同様にステップＳ５およびＳ６を経て、監視用モニタ５に偽映像が表示される。
【００６７】
以上のように、仮に、不特定多数の第三者がパスワードを解析しようとしても、不正パスワードが例えば連続５回入力されると、パスワード保存領域２１に特定文字列が埋め込まれるため、不特定多数の第三者がどのようなパスワードを入力しようとも、パスワードとして特定文字列が入力されたと判断するので、本映像データが再生されることがない。すなわち、不特定多数の第三者が本映像データを再生することができないため、本映像に含まれる個人情報等を保護することができ、本映像の秘匿性をさらに向上できる。
【００６８】
なお、本発明に係る映像変換部１および映像再生部２を構成する各処理部の全部または一部は、ハードウェアで構成されていても良く、マイクロプロセッサで機能させるプログラムであっても良い。
【００６９】
なお、本発明では、映像データは、動画像（ＭＰＥＧ２等）として説明したが、個々の静止画像（例えばＪＰＥＧ２０００）が管理ファイル、管理テーブル等で管理されて、動画像を構成する一枚の画像として取り扱われるような映像データであっても良い。この場合、管理ファイル、管理テーブル等のデータ構造に隙間を作って本画像を埋め込むことで実施される。
【００７０】
なお、本発明では、偽映像データとして、個人情報を含まない室内の映像を例示しているが、例えば、カラーバーのように本映像とは全く関連のない映像でも構わない。この場合、不特定多数の第三者は、本映像を類推することすらできない。
【００７１】
なお、本発明に係る映像変換部１および映像再生部２が、映像処理装置３に含まれるとして説明したが、これに限らない。例えば、監視カメラ４が映像変換部１を有するネットワークカメラであって、映像処理装置３には映像再生部２のみを備えていても良い。
【００７２】
なお、本発明に係る映像変換装置および映像再生装置として、遠隔監視システムにおいて、個人情報を含む秘匿性の高い本映像データと、個人情報を含まない偽映像データを用いて説明したが、これに限らない。例えば、本映像を秘匿性の高い本編、偽映像を秘匿性の低い予告編として組み込んだ合成映像データを提供する映像コンテンツを作成し、ユーザが登録することにより本編の再生が可能となるネットワークシステムに適用することもできる。
【００７３】
すなわち、本発明は、映像変換機能、映像再生機能のいずれか一方またはその両方の機能を有する、あらゆる装置、もしくは映像変換機能および映像再生機能を有する、あらゆるネットワークシステムに適用することができる。
【符号の説明】
【００７４】
１    映像変換部
２    映像再生部
１３  本映像暗号化部
１４  偽映像保存領域
１５  偽映像管理部
１６  本映像組込部
２１  パスワード保存領域
２２  パスワード照合部
２３  映像データ読出伸張部
２４  映像データ表示部
２５  パスワード入力部
【図１】
0005621014.tif 000002
【図２】
0005621014.tif 000003
【図３】
0005621014.tif 000004
【図４】
0005621014.tif 000005
【図５】
0005621014.tif 000006
【図６】
0005621014.tif 000007
【図７】
0005621014.tif 000008